(57)【要約】【課題】連続紙と別の連続紙とを繋ぎ合わせて印刷を行う場合に、連続紙において印刷されるべきではない部分に印刷が行われることを防止する。【解決手段】印刷手段に搬送される連続紙の終端が検出されたときに当該連続紙と別の連続紙とを繋ぎ合わせる運用が行われる、と判断された場合、当該終端が検出されたときのユーザの操作による連続紙の搬送が禁止される。【選択図】図３
2020117344.tif 000002
【特許請求の範囲】
【請求項１】
印刷手段に搬送される連続紙の終端が検出されたときに前記連続紙と別の連続紙とを繋ぎ合わせる運用が行われる、と判断した場合、前記終端が検出されたときのユーザの操作による前記連続紙の搬送を禁止する制御手段、
を有する情報処理装置。
【請求項２】
前記制御手段は、前記終端が検出される前に前記運用の実行がユーザによって予め指示されている場合に、前記運用が行われると判断する、
ことを特徴とする請求項１に記載の情報処理装置。
【請求項３】
前記制御手段は、更に、前記終端が検出された場合に、前記運用を実行するか否かをユーザに問い合わせるための処理を実行し、前記運用の実行がユーザによって指示された場合に、前記運用が行われると判断する、
ことを特徴とする請求項１に記載の情報処理装置。
【請求項４】
前記制御手段は、更に、ユーザが前記運用の実行の有無の指示を与えるまでの間も前記連続紙の搬送を禁止する、
ことを特徴とする請求項３に記載の情報処理装置。
【請求項５】
前記制御手段は、更に、ユーザが前記運用の不実行を指示した場合、前記連続紙の搬送の禁止を解除する、
ことを特徴とする請求項４に記載の情報処理装置。
【請求項６】
前記制御手段は、前記終端が検出されたときに印刷の残りがある場合、前記運用が行われると判断する、
ことを特徴とする請求項１に記載の情報処理装置。
【請求項７】
印刷手段に搬送される連続紙の終端が検出されたときに印刷の残りがある場合、ユーザの操作による前記連続紙の搬送を禁止する制御手段、
を有する情報処理装置。
【請求項８】
前記制御手段は、前記運用が行なわれると判断された場合であって、前記連続紙として折り畳まれた状態の連続紙が用いられている場合に、前記終端が検出されたときのユーザの操作による前記連続紙の搬送を禁止する、
ことを特徴とする請求項１に記載の情報処理装置。
【請求項９】
前記制御手段は、更に、前記連続紙の搬送が禁止されている場合に、ユーザの操作によって前記禁止を解除する、
ことを特徴とする請求項１から請求項８のいずれか一項に記載の情報処理装置。
【請求項１０】
印刷手段によって連続紙に印刷が行われている間はユーザの操作による前記連続紙の搬送を禁止し、前記連続紙の終端が検出された場合に前記禁止を解除する制御手段を有し、
前記制御手段は、前記連続紙の終端が検出されたときに前記連続紙と別の連続紙とを繋ぎ合わせる運用が行われる、と判断した場合、前記禁止を継続する、
情報処理装置。
【請求項１１】
連続紙に印刷を行う印刷手段と、
前記印刷手段へ前記連続紙を搬送する搬送手段と、
前記印刷手段に搬送される前記連続紙の終端が検出されたときに前記連続紙と別の連続紙とを繋ぎ合わせる運用が行われる、と判断した場合、前記終端が検出されたときのユーザの操作による前記連続紙の搬送を禁止する制御手段と、
を有する印刷システム。
【請求項１２】
コンピュータを、
印刷手段に搬送される連続紙の終端が検出されたときに前記連続紙と別の連続紙とを繋ぎ合わせる運用が行われる、と判断した場合、前記終端が検出されたときのユーザの操作による前記連続紙の搬送を禁止する制御手段、
として機能させるプログラム。
【発明の詳細な説明】
【技術分野】
【０００１】
本発明は、情報処理装置、印刷システム及びプログラムに関する。
【背景技術】
【０００２】
連続紙に印刷を行う印刷装置においては、印刷装置に搬送される連続紙の終端が検出された場合に、当該連続紙と別の連続紙とを繋ぎ合わせて印刷を継続することがある。
【０００３】
特許文献１には、複数の印が並べて形成された帯状の媒体を搬送し、当該媒体から検知された印の間隔に基づいて媒体の繋ぎ目を判定する装置が記載されている。
【０００４】
特許文献２には、連続帳票用紙の繋ぎ目をセンサによって検出する装置が記載されている。
【０００５】
特許文献３には、連続紙の移動量を検出し、連続紙の繋ぎ合わせを行うための基準位置から印刷装置までの距離と、当該検出された移動量とから連続紙の繋ぎ目の位置を算出し、繋ぎ目付近の印刷を制御する装置が記載されている。
【先行技術文献】
【特許文献】
【０００６】
【特許文献１】特開２０１２−６６８９５号公報
【特許文献２】特開２０１６−１７２３３９号公報
【特許文献３】特開２００５−２３１０６２号公報
【発明の概要】
【発明が解決しようとする課題】
【０００７】
ところで、連続紙と別の連続紙とを繋ぎ合わせて印刷する場合において、ユーザの操作による連続紙の搬送が常に許可されている場合、ユーザの操作によっては、連続紙において印刷されるべきではない部分（例えば繋ぎ目の部分）に印刷が行われることがある。
【０００８】
本発明の目的は、連続紙と別の連続紙とを繋ぎ合わせて印刷を行う場合に、連続紙において印刷されるべきではない部分に印刷が行われることを防止することにある。
【課題を解決するための手段】
【０００９】
請求項１に係る発明は、印刷手段に搬送される連続紙の終端が検出されたときに前記連続紙と別の連続紙とを繋ぎ合わせる運用が行われる、と判断した場合、前記終端が検出されたときのユーザの操作による前記連続紙の搬送を禁止する制御手段、を有する情報処理装置である。
【００１０】
請求項２に係る発明は、前記制御手段は、前記終端が検出される前に前記運用の実行がユーザによって予め指示されている場合に、前記運用が行われると判断する、ことを特徴とする請求項１に記載の情報処理装置である。
【００１１】
請求項３に係る発明は、前記制御手段は、更に、前記終端が検出された場合に、前記運用を実行するか否かをユーザに問い合わせるための処理を実行し、前記運用の実行がユーザによって指示された場合に、前記運用が行われると判断する、ことを特徴とする請求項１に記載の情報処理装置である。
【００１２】
請求項４に係る発明は、前記制御手段は、更に、ユーザが前記運用の実行の有無の指示を与えるまでの間も前記連続紙の搬送を禁止する、ことを特徴とする請求項３に記載の情報処理装置である。
【００１３】
請求項５に係る発明は、前記制御手段は、更に、ユーザが前記運用の不実行を指示した場合、前記連続紙の搬送の禁止を解除する、ことを特徴とする請求項４に記載の情報処理装置である。
【００１４】
請求項６に係る発明は、前記制御手段は、前記終端が検出されたときに印刷の残りがある場合、前記運用が行われると判断する、ことを特徴とする請求項１に記載の情報処理装置である。
【００１５】
請求項７に係る発明は、印刷手段に搬送される連続紙の終端が検出されたときに印刷の残りがある場合、ユーザの操作による前記連続紙の搬送を禁止する制御手段、を有する情報処理装置である。
【００１６】
請求項８に係る発明は、前記制御手段は、前記運用が行なわれると判断された場合であって、前記連続紙として折り畳まれた状態の連続紙が用いられている場合に、前記終端が検出されたときのユーザの操作による前記連続紙の搬送を禁止する、ことを特徴とする請求項１に記載の情報処理装置である。
【００１７】
請求項９に係る発明は、前記制御手段は、更に、前記連続紙の搬送が禁止されている場合に、ユーザの操作によって前記禁止を解除する、ことを特徴とする請求項１から請求項８のいずれか一項に記載の情報処理装置である。
【００１８】
請求項１０に係る発明は、印刷手段によって連続紙に印刷が行われている間はユーザの操作による前記連続紙の搬送を禁止し、前記連続紙の終端が検出された場合に前記禁止を解除する制御手段を有し、前記制御手段は、前記連続紙の終端が検出されたときに前記連続紙と別の連続紙とを繋ぎ合わせる運用が行われる、と判断した場合、前記禁止を継続する、情報処理装置である。
【００１９】
請求項１１に係る発明は、連続紙に印刷を行う印刷手段と、前記印刷手段へ前記連続紙を搬送する搬送手段と、前記印刷手段に搬送される前記連続紙の終端が検出されたときに前記連続紙と別の連続紙とを繋ぎ合わせる運用が行われる、と判断した場合、前記終端が検出されたときのユーザの操作による前記連続紙の搬送を禁止する制御手段と、を有する印刷システムである。
【００２０】
請求項１２に係る発明は、コンピュータを、印刷手段に搬送される連続紙の終端が検出されたときに前記連続紙と別の連続紙とを繋ぎ合わせる運用が行われる、と判断した場合、前記終端が検出されたときのユーザの操作による前記連続紙の搬送を禁止する制御手段、として機能させるプログラムである。
【発明の効果】
【００２１】
請求項１，１０，１１，１２に係る発明によれば、連続紙と別の連続紙とを繋ぎ合わせて印刷を行う場合に、連続紙において印刷されるべきではない部分に印刷が行われることを防止することができる。
【００２２】
請求項２に係る発明によれば、終端が検出されるときの印刷の状況に関わらず運用を行うことを予定して、ユーザの操作による搬送を禁止することができる。
【００２３】
請求項３に係る発明によれば、ユーザが、終端が検出されたときの印刷の状況を見て運用の実行を決める場合であっても、ユーザの操作による搬送を禁止することができる。
【００２４】
請求項４に係る発明によれば、ユーザが指示を与えるまでの間禁止しない場合と比べて、より確実に連続紙において印刷されるべきではない部分に印刷が行われることを防止することができる。
【００２５】
請求項５に係る発明によれば、運用を実行しない状況下では必要のない制限を解除することができる。
【００２６】
請求項６，７に係る発明によれば、運用を行う可能性が高いことを印刷の状況から想定して、ユーザの操作による搬送を禁止することができる。
【００２７】
請求項８に係る発明によれば、運用を行う場合にロール紙に比べてより動いてほしくない連続紙が用いられる場合に、ユーザの操作による搬送を禁止することができる。
【００２８】
請求項９に係る発明によれば、ユーザの操作によって禁止が解除できない場合と比べて、ユーザが連続紙を搬送させたい場合の操作性が向上する。
【図面の簡単な説明】
【００２９】
【図１】本実施形態に係る印刷システムの構成を示す図である。
【図２】本実施形態に係る印刷システムの構成を示すブロック図である。
【図３】本実施形態に係る連続紙の搬送制御に関するフローチャートを示す図である。
【図４】本実施形態に係る印刷装置の構成を示す図である。
【図５】本実施形態に係る印刷装置の構成を示す図である。
【図６】本実施形態に係る印刷装置の構成を示す図である。
【図７】連続紙を模式的に示す図である。
【図８】連続紙を模式的に示す図である。
【図９】連続紙を模式的に示す図である。
【図１０】連続紙を模式的に示す図である。
【図１１】本実施形態に係る印刷装置の構成を示す図である。
【図１２】本実施形態に係る印刷装置の構成を示す図である。
【図１３】変形例１に係る印刷システムの構成を示す図である。
【発明を実施するための形態】
【００３０】
図１を参照して、本発明の実施形態に係る印刷システムについて説明する。図１は、本実施形態に係る印刷システムの構成の一例を示す。
【００３１】
本実施形態に係る印刷システムは、１又は複数の印刷装置１０と制御装置１２とを含む。印刷装置１０と制御装置１２は、通信経路に接続されている。通信経路は、無線通信によって形成されてもよいし、有線通信によって形成されてもよい。通信経路は、例えば、ＬＡＮ（Local Area Network）等のネットワークやインターネット等である。もちろん、印刷装置１０と制御装置１２とは互いに直接的に接続されていてもよいし、印刷装置１０に制御装置１２が組み込まれていてもよい。
【００３２】
印刷装置１０は、例えば、電子写真方式によって、記録媒体である連続紙Ｐに印刷を行う装置である。制御装置１２は、印刷装置１０による印刷の開始、印刷の停止、連続紙Ｐの搬送開始、連続紙Ｐの搬送停止、及び、連続紙Ｐの移動量等を制御する装置である。
【００３３】
具体的には、印刷装置１０において、感光体ドラム１４の周囲に、帯電装置１６、露光装置１８、現像装置２０、転写装置２２、クリーニング装置２４、及び、除電装置２６が順番に設置されており、転写装置２２の設置位置よりも連続紙Ｐの搬送方向の下流側の位置に、定着装置２８が設置されている。感光体ドラム１４が回転させられ、帯電装置１６によって感光体ドラム１４の表面が均一に帯電される。印刷データに基づいて露光装置１８によって感光体ドラム１４の表面が露光され、これによって感光体ドラム１４の表面に潜像が形成される。次に、感光体ドラム１４の表面に形成された潜像が現像装置２０によって現像されてトナー像が形成され、このトナー像が転写装置２２によって連続紙Ｐに転写される。次に、定着装置２８によって連続紙Ｐに対して定着が行われる。また、転写装置２２によって連続紙Ｐに転写されずに感光体ドラム１４の表面に残存したトナーが、クリーニング装置２４によって除去される。除電装置２６による除電が行われた後に、帯電装置１６による帯電以降の処理が繰り返される。なお、印刷方式としてインクジェット方式が用いられてもよい。
【００３４】
また、印刷装置１０は、用紙ホッパ３０と用紙スタッカ３２とを含む。用紙ホッパ３０は、連続紙Ｐを供給する給紙部である。用紙スタッカ３２は、印刷が完了した連続紙Ｐを収容する収容部である。用紙ホッパ３０は、転写装置２２の設置位置よりも搬送方向の上流側の位置に設置されており、用紙スタッカ３２は、定着装置２８の設置位置よりも搬送方向の下流側の位置に設置されている。用紙ホッパ３０には、折り畳まれた状態の連続紙Ｐが収容されており、用紙ホッパ３０から感光体ドラム１４と転写装置２２との間の転写位置に連続紙Ｐが供給される。連続紙Ｐには、例えば、搬送方向と直交する方向に延在するミシン目等の折り目が一定間隔で形成されており、連続紙Ｐは、これらの折り目で折り畳まれて箱等に収容されている。連続紙Ｐは、例えば、搬送駆動モータによって回転させられるローラ等によって、用紙ホッパ３０から感光体ドラム１４と転写装置２２との間の転写位置に搬送され、その後、定着装置２８を経由して用紙スタッカ３２に搬送され、折り畳まれるようにして用紙スタッカ３２に収容される。用紙スタッカ３２においては、印刷が完了した連続紙Ｐが、折り目で折り畳まれて箱等に収容される。以下では、折り畳まれた連続紙Ｐを「箱用紙」と称することとする。連続紙Ｐが折り畳まれて箱に入れられ、その箱ごと用紙ホッパ３０に設置されてもよいし、箱から連続紙Ｐを取り出して用紙ホッパ３０に設置されてもよい。
【００３５】
箱用紙以外の連続紙Ｐとして、例えば、ロール状に巻かれた連続紙（以下、「ロール紙」と称する）が用いられてもよい。
【００３６】
転写装置２２と用紙ホッパ３０との間において連続紙Ｐの搬送路に沿った位置に、連続紙Ｐの終端を検出する検出センサ３４が設置されている。検出センサ３４によって連続紙Ｐの終端が検出されることで、用紙ホッパ３０に収容されている連続紙Ｐが無くなったことが検出される。
【００３７】
また、用紙ホッパ３０内の連続紙Ｐを検出する検出センサ３６が設置されて、用紙ホッパ３０に収容されている連続紙Ｐが無くなったことが検出されてもよい。
【００３８】
以下、図２を参照して、本実施形態に係る印刷システムの機能について説明する。図２は、本実施形態に係る印刷システムの構成の一例を示す。
【００３９】
印刷装置１０は、通信部３８、印刷部４０、搬送部４２、ＵＩ部４４、記憶部４６、及び、制御部４８を含む。
【００４０】
通信部３８は通信インターフェースであり、他の装置に情報を送信する機能、及び、他の装置から情報を受信する機能を有する。通信部３８は、無線通信機能を有していてもよいし、有線通信機能を有していてもよい。通信部３８は、例えば、印刷データと印刷指示情報とを含む印刷ジョブ情報や、連続紙Ｐの搬送に関する制御情報や、その他の制御情報等を制御装置１２から受信する。
【００４１】
印刷部４０は、連続紙Ｐに印刷を行うように構成されている。印刷部４０は、例えば、感光体ドラム１４、帯電装置１６、露光装置１８、現像装置２０、転写装置２２、クリーニング装置２４、除電装置２６、及び、定着装置２８を含んで構成される。
【００４２】
搬送部４２は、例えば、搬送駆動モータとローラとを含み、連続紙Ｐを搬送するように構成されている。連続紙Ｐは、搬送部４２によって、用紙ホッパ３０から印刷部４０へ搬送され、その後、用紙スタッカ３２へと搬送される。
【００４３】
ＵＩ部４４はユーザインターフェース部であり、表示部と操作部とを含む。表示部は、液晶ディスプレイ等の表示装置である。操作部は、キーボードや入力キーや操作パネル等の入力装置である。ＵＩ部４４は、表示部と操作部とを兼ね備えたタッチパネル等のＵＩ部であってもよい。
【００４４】
記憶部４６は、各種の情報を記憶する１又は複数の記憶領域である。各記憶領域は、例えば、印刷装置１０に設けられている１又は複数の記憶装置（例えばハードディスクドライブやメモリ等の物理ドライブ）によって構成されている。印刷ジョブ情報等が記憶部４６に記憶される。
【００４５】
検出センサ３４は、連続紙Ｐの終端を検出するセンサである。
【００４６】
制御部４８は、通信制御部５０、印刷制御部５２、搬送制御部５４及び主制御部５６を含む。
【００４７】
通信制御部５０は、通信部３８による通信を制御するように構成されている。
【００４８】
印刷制御部５２は、印刷ジョブに従って、印刷部４０による印刷を制御するように構成されている。
【００４９】
搬送制御部５４は、搬送部４２による連続紙Ｐの搬送を制御するように構成されている。搬送制御部５４は、例えば、搬送部４２に含まれる搬送駆動モータの駆動を制御することで、連続紙Ｐの搬送を制御する。例えば、ユーザの操作による連続紙Ｐの搬送が許可されている場合において、ユーザが印刷装置１０のＵＩ部４４や制御装置１２のＵＩ部６０を用いて連続紙Ｐの搬送を指示した場合、搬送制御部５４は、ユーザによる指示に従って、搬送部４２に連続紙Ｐを搬送させる。紙詰まり等が発生した場合に、ユーザの操作によって連続紙Ｐを搬送させたいことがあるため、印刷装置１０は、ユーザの操作によって連続紙Ｐを搬送させることができるように構成されている。また、搬送制御部５４は、連続紙Ｐの移動量を検出するように構成されている。例えば、搬送制御部５４は、搬送駆動モータ等の回転量に基づいて連続紙Ｐの移動量を検出してもよいし、搬送駆動モータ等への印加パルス数に基づいて連続紙Ｐの移動量を検出してもよい。
【００５０】
主制御部５６は、印刷装置１０の各部の動作を制御するように構成されている。
【００５１】
制御装置１２は、通信部５８、ＵＩ部６０、記憶部６２、データ処理部６４、及び、制御部６６を含む。
【００５２】
通信部５８は通信インターフェースであり、他の装置に情報を送信する機能、及び、他の装置から情報を受信する機能を有する。通信部５８は、無線通信機能を有していてもよいし、有線通信機能を有していてもよい。通信部５８は、例えば、印刷ジョブ情報や、連続紙Ｐの搬送に関する制御情報や、その他の制御情報等を印刷装置１０に送信する。
【００５３】
ＵＩ部６０はユーザインターフェース部であり、表示部と操作部とを含む。表示部は、液晶ディスプレイ等の表示装置である。操作部は、キーボードや入力キー等の入力装置である。ＵＩ部６０は、表示部と操作部とを兼ね備えたタッチパネル等のＵＩ部であってもよい。
【００５４】
記憶部６２は、各種の情報を記憶する１又は複数の記憶領域である。各記憶領域は、例えば、制御装置１２に設けられている１又は複数の記憶装置（例えばハードディスクドライブやメモリ等の物理ドライブ）によって構成されている。
【００５５】
データ処理部６４は、印刷装置１０によって印刷可能な印刷データの生成や解析等を行うように構成されている。印刷データは、例えば、ビットマップデータやページ記述言語（Page Description Language：ＰＤＬ）データ等である。
【００５６】
制御部６６は、通信制御部６８、印刷装置制御部７０、及び、主制御部７２を含む。
【００５７】
通信制御部６８は、通信部５８による通信を制御するように構成されている。
【００５８】
印刷装置制御部７０は、印刷装置１０の動作を制御するように構成されている。印刷装置制御部７０は、例えば、印刷装置１０の印刷制御部５２に対して印刷ジョブ情報を送り、搬送制御部５４に対して連続紙Ｐの搬送に関する制御情報を送る。
【００５９】
主制御部７２は、制御装置１２の各部の動作を制御するように構成されている。
【００６０】
本実施形態では、連続紙Ｐの終端が検出センサ３４によって検出された場合に、当該連続紙Ｐの終端と別の新たな連続紙Ｐの先端とを繋ぎ合わせるスプライス運用が行われることがある。例えば、連続紙Ｐの終端と別の新たな連続紙Ｐの先端とがスプライシングテープによって貼り合わされることで、連続紙Ｐ同士が繋ぎ合わされ、その繋ぎ合わされた連続紙Ｐに印刷が行われる。スプライス運用を行うことで、新たな連続紙Ｐを印刷装置１０内に通しなおす手間が省け、また、新たな連続紙Ｐを印刷装置１０内に通しなおす場合と比べて、無駄な用紙が少なくなる。
【００６１】
搬送制御部５４は、連続紙Ｐの終端が検出センサ３４によって検出されたときにスプライス運用が行われると判断した場合、連続紙Ｐの終端が検出センサ３４によって検出されたときのユーザの操作による連続紙Ｐの搬送を禁止する。例えば、ユーザが、印刷装置１０のＵＩ部４４や制御装置１２のＵＩ部６０を用いて連続紙Ｐの搬送の指示を与えた場合であっても、搬送制御部５４は、搬送部４２に連続紙Ｐを搬送させない。連続紙Ｐの搬送を禁止する期間（以下、「搬送禁止期間」と称する）は、例えば、連続紙Ｐの終端が検出された時点（以下、「終端検出時点」と称する）から予め定められた時点までの期間である。例えば、連続紙Ｐの終端が検出センサ３４によって検出された場合、印刷が停止させられ、連続紙Ｐ同士が繋ぎ合わされた後、印刷が再開される場合がある。この場合、連続紙Ｐの搬送禁止期間は、終端検出時点から、再開された印刷が停止した時点（以下、「印刷停止時点」と称する）までの期間である。もちろん、終端検出時点から、終端検出時点と印刷停止時点との間の時点までの期間が、連続紙Ｐの搬送禁止期間として定められてもよい。例えば、終点検出時点よりも後の時点において、ユーザの操作による連続紙Ｐの搬送の禁止が解除された場合、その解除が行われた時点が、搬送禁止期間の終了時点として定められてもよい。また、終端検出時点から予め定められた時間が経過した後の時点が、ユーザの操作による連続紙Ｐの搬送禁止期間の開始時点として定められてもよい。つまり、終端検出時点が厳密に搬送禁止期間の開始時点として定められずに、終端検出時点から僅かに経過した時点が開始時点として定められてもよい。ただし、搬送禁止期間には、スプライス運用が行われないと判断した場合には連続紙Ｐの搬送が禁止されない期間（（すなわち、搬送禁止が解除されている期間）を含むものとする。
【００６２】
本実施形態においては、ユーザによってスプライス運用の実行が指示されてもよいし、ユーザによる設定なしに、制御装置１２が、スプライス運用を実行するか否かを判断してスプライス運用の実行を制御してもよいし、制御装置１２が、スプライス運用を実行するか否かを制御装置１２に判断される旨のユーザによる指示に従って、その判断を行ってもよい。ユーザによってスプライス運用の実行が指示されることとは、連続紙Ｐの終端が検知される前にユーザによってスプライス運用の実行が予め指示されることであってもよいし、連続紙Ｐの終端が検出された後にユーザによってスプライス運用の実行が指示されることであってもよい。ユーザによる設定なしに制御装置１２がスプライス運用の実行を制御するという概念の範疇には、スプライス運用に関する指示がユーザから全く与えられていなくても、制御装置１２が、スプライス運用を実行するか否かを自動的に判断して、スプライス運用の実行を制御することを含んでもよい。
【００６３】
以下、図３を参照して、連続紙Ｐの終端が検知されたときの連続紙Ｐの搬送制御について説明する。図３は、当該搬送制御に関するフローチャートを示す。
【００６４】
印刷部４０は、印刷ジョブに従って連続紙Ｐに印刷を行う。搬送制御部５４は、印刷中は、ユーザの操作による連続紙Ｐの搬送を禁止する。検出センサ３４によって連続紙Ｐが検出されていない場合（Ｓ０１，Ｎｏ）、印刷ジョブに従った印刷が行われる。
【００６５】
検出センサ３４によって連続紙Ｐの終端が検知された場合（Ｓ０１，Ｙｅｓ）、スプライス運用の設定に応じた処理が行われる。その設定の内容は、「スプライス運用を行う」という設定内容、「スプライス運用の実行の有無を自動的に判定する」という設定内容、又は、「スプライス運用を行わない」という設定内容である。例えば、ユーザが、ＵＩ部４４又はＵＩ部６０を用いることで、いずれかの設定を行う。その設定内容を示す情報は、例えば記憶部４６に記憶される。なお、「スプライス運用を行う」という設定内容、及び、「スプライス運用の実行の有無を自動的に判定する」という設定内容が設定されていない場合、「スプライス運用を行わない」という設定内容が自動的に設定されてもよい。上記の設定は、連続紙Ｐの終端が検出センサ３４によって検出される前に行われる。例えば、印刷開始前に上記の設定が行われる。
【００６６】
連続紙Ｐの終端が検出センサ３４によって検出される前に、スプライス運用の実行がユーザによって予め指示されている場合（Ｓ０２，「行う」）、つまり、「スプライス運用を行う」という設定内容が予めユーザによって設定されている場合、搬送制御部５４は、ユーザの操作による連続紙Ｐの搬送を禁止する（Ｓ０３）。この場合、印刷ジョブが終了している場合であっても、搬送制御部５４は、ユーザの操作による連続紙Ｐの搬送を禁止する。例えば、ＵＩ部４４やＵＩ部６０には、ユーザが連続紙Ｐの搬送を指示するための物理的な用紙搬送キーが設置されていたり、用紙搬送キーの画像が表示されていたりする。ユーザが用紙搬送キーを操作した場合であっても、搬送制御部５４は、用紙搬送キーの操作を無効にし、又は、その操作を受け付けない。
【００６７】
連続紙Ｐの終端が検出センサ３４によって検出される前に、スプライス運用の実行の有無の自動判定がユーザによって予め指示されている場合（Ｓ０２，「自動判定」）、つまり、「スプライス運用の実行の有無を自動的に判定する」という設定内容が予めユーザによって設定されている場合、処理はＳ０４に移行する。連続紙Ｐの終端が検出されたときに印刷ジョブが途中である場合（Ｓ０４，Ｙｅｓ）、つまり、印刷の残りがある場合、搬送制御部５４は、ユーザの操作による連続紙Ｐの搬送を禁止する（Ｓ０３）。印刷ジョブが途中である場合、スプライス運用を行って印刷を継続することが想定されるため、搬送制御部５４は、ユーザの操作による連続紙Ｐの搬送を禁止する。印刷ジョブが終了している場合（Ｓ０４，Ｎｏ）、処理はＳ１３に移行する。
【００６８】
連続紙Ｐの終端が検出センサ３４によって検出される前に、スプライス運用の実行がユーザによって予め指定されていない場合（Ｓ０２，「行わない」）、つまり、「スプライス運用を行わない」という設定内容が予めユーザによって設定されている場合、処理はＳ１３に移行する。Ｓ１３以降の処理については後で説明する。
【００６９】
以下、Ｓ０５以降の処理について説明する。
【００７０】
スプライス運用が行われる場合、ユーザは、新たな連続紙Ｐを用紙ホッパ３０に設置し、終端が検出された連続紙Ｐの終端と当該新たな連続紙Ｐの先端とをスプライシングテープによって貼り合わせることで、連続紙Ｐ同士を繋ぎ合わせる。例えば、ユーザがＵＩ部４４又はＵＩ部６０を用いて、連続紙Ｐ同士の繋ぎ合わせの完了を示す情報を入力すると、搬送制御部５４は、連続紙Ｐ同士の繋ぎ合わせの完了を認識する。ＵＩ部４４又はＵＩ部６０に、完了を伝えるためのボタンが表示され、ユーザが当該ボタンを押した場合、搬送制御部５４は当該完了を認識してもよい。
【００７１】
以下、連続紙Ｐにおいて、スプライシングテープによって他のページに貼り合わされたページを「スプライスページ」と称することとする。連続紙Ｐとして箱用紙が用いられる場合、終端が検出された連続紙Ｐの最終ページと新たな連続紙Ｐの先頭ページとがスプライシングテープによって貼り合わされるので、当該最終ページと当該先頭ページが、スプライスページである。
【００７２】
印刷ジョブに従った印刷がスプライスページに行われることを防止するために、連続紙Ｐ同士が繋ぎ合わされた後、スプライスページに白紙印刷が行われる。白紙印刷とは、印刷部４０によって実際に白色で印刷されること、又は、印刷部４０による印刷が行われないことである。
【００７３】
スプライスページ数は、連続紙Ｐの種類に応じて定められる。印刷装置１０にて用いられている連続紙Ｐが箱用紙である場合（Ｓ０５，Ｙｅｓ）、スプライスページ数は２ページである（Ｓ０６）。
【００７４】
印刷装置１０にて用いられている連続紙Ｐが箱用紙ではない場合（Ｓ０５，Ｎｏ）、スプライスページ数はユーザが設定したページ数である（Ｓ０７）。例えば、連続紙Ｐがロール紙である場合、ユーザが設定したペース数がスプライスページ数として設定される。スプライスページ数は、例えば、ＵＩ部４４又はＵＩ部６０を用いてユーザによって指定される。
【００７５】
例えば、連続紙Ｐの種類は、ＵＩ部４４又はＵＩ部６０を用いてユーザによって指定され、その種類を示す情報は記憶部４６に記憶される。別の例として、連続紙Ｐの種類を認識する認識センサが印刷装置１０に設置されてもよい。例えば、箱用紙を認識する認識センサが設置され、当該認識センサによる認識結果に応じたスプライスページ数が設定されてもよい。スプライスページ及び白紙印刷については、後で詳しく説明する。
【００７６】
連続紙Ｐ同士の繋ぎ合わせが完了し、例えば、ユーザがＵＩ部４４又はＵＩ部６０を用いて印刷再開を指示した場合（Ｓ０８，Ｙｅｓ）、繋ぎ合わされた連続紙Ｐが搬送部４２によって搬送されて、印刷部４０によって連続紙Ｐに印刷が行われる（Ｓ０９）。印刷再開の指示が与えられない場合（Ｓ０８，Ｎｏ）、印刷装置１０は、印刷再開の指示が与えられるまで待機する。
【００７７】
連続紙Ｐが箱用紙である場合、２ページ分のスプライスページに白紙印刷が行われ、それ以外のページに、印刷ジョブに従った印刷が行われる。具体的には、終端が検出された連続紙Ｐにおいて当該終端を有する最終ページと、新たな連続紙Ｐの先端を有する先頭ページとに、白紙印刷が行われる。そして、新たな連続紙Ｐにおいて２ページ以降のページに、印刷ジョブに従った印刷が行われる。
【００７８】
連続紙Ｐが箱用紙ではない場合、ユーザによって設定されたページ分のスプライスページに白紙印刷が行われ、それ以外のページに、印刷ジョブに従った印刷が行われる。
【００７９】
印刷装置１０に与えられた印刷ジョブが終了して印刷が停止していない場合（Ｓ１０，Ｎｏ）、継続して印刷が行われる（Ｓ０９）。搬送制御部５４は、印刷中、ユーザの操作による連続紙Ｐの搬送を禁止する。
【００８０】
印刷装置１０に与えられた印刷ジョブが終了して印刷が停止した場合（Ｓ１０，Ｙｅｓ）、搬送制御部５４は、スプライスページ数を０ページ（ゼロページ）に設定し（Ｓ１１）、ユーザの操作による連続紙Ｐの搬送禁止を解除する（Ｓ１２）。つまり、搬送制御部５４は、ユーザの操作による連続紙Ｐの搬送を許可する。例えば、搬送制御部５４は、用紙搬送キーの操作を有効にしてその操作を受け付ける。ユーザが用紙搬送キーを操作することで、連続紙Ｐが搬送される。例えば、連続紙Ｐの自動排出や前進や後退等が行われる。
【００８１】
上記のように、搬送制御部５４は、連続紙Ｐの終端が検出センサ３４によって検出された終端検出時点から、印刷が再開されて印刷が停止した印刷停止時点までの間、ユーザの操作による連続紙Ｐの搬送を禁止する。
【００８２】
ユーザの操作による連続紙Ｐの搬送が禁止されている場合に、ユーザによって搬送禁止の解除が指示された場合、搬送制御部５４は、搬送禁止を解除してもよい。例えば、ＵＩ部４４やＵＩ部６０には、搬送禁止を解除するための物理的な解除ボタンが設置されていたり、解除ボタンを表す画像が表示されていたりする。ユーザが解除ボタンを押した場合、搬送制御部５４は搬送禁止を解除する。搬送禁止が解除された場合、ユーザの操作による連続紙Ｐの搬送が許可される。
【００８３】
以下、Ｓ１３以降の処理について説明する。
【００８４】
連続紙Ｐの終端が検出された場合、搬送制御部５４は、スプライスページ数を０ページに設定し（Ｓ１３）、ユーザの操作による連続紙Ｐの搬送を許可する（Ｓ１４）。つまり、印刷中は、ユーザの操作による連続紙Ｐの搬送は禁止されていたが、搬送制御部５４は、その禁止を解除する。例えば、搬送制御部５４は、用紙搬送キーの操作を有効にしてその操作を受け付ける。
【００８５】
以上のように、ユーザによって「スプライス運用を行う」という設定内容が設定されている場合、又は、ユーザによって「スプライス運用の実行の有無を自動的に判定する」という設定内容が設定されている場合において、連続紙Ｐの終端が検出されたときに印刷ジョブが途中の場合、連続紙Ｐの終端が検出されたときのユーザの操作による連続紙Ｐの搬送が禁止される。
【００８６】
一方、ユーザによって「スプライス運用を行わない」という設定内容が設定されている場合、連続紙Ｐの終端が検出されたときのユーザの操作による連続紙Ｐの搬送が許可される。
【００８７】
本実施形態に係る搬送制御について換言すると、搬送制御部５４は、印刷部４０によって連続紙Ｐに印刷が行われている間はユーザの操作による連続紙Ｐの搬送を禁止し、連続紙Ｐの終端が検出センサ３４によって検出された場合に当該禁止を解除して、ユーザの操作による連続紙Ｐの搬送を許可する。そして、「スプライス運用を行う」という設定内容が設定されている場合、又は、「スプライス運用の実行の有無を自動的に判定する」という設定内容が設定されている場合において、連続紙Ｐの終端が検出されたときに印刷ジョブが途中の場合、搬送制御部５４は、ユーザの操作による連続紙Ｐの搬送の禁止を解除せずに、当該禁止を継続する。
【００８８】
上記の例では、連続紙Ｐの終端が検出される前に、スプライス運用の実行の有無又は自動判定がユーザによって予め設定されているが、その設定は、連続紙Ｐの終端が検出された場合に行われてもよい。例えば、制御部４８は、連続紙Ｐの終端が検出された場合にスプライス運用を実行するか否かをユーザに問い合わせるための処理を実行し、スプライス運用の実行がユーザによって指示された場合に、ユーザの操作による連続紙Ｐの搬送を禁止する。具体的には、主制御部５６は、その問い合わせのための画面をＵＩ部４４又はＵＩ部６０に表示させる。その問い合わせ画面は、ユーザが「スプライス運用を行う」という設定内容、「スプライス運用の実行の有無を自動的に判定する」という設定内容、又は、「スプライス運用を行わない」という設定内容を設定するための画面であり、これらの設定内容を示す情報が問い合わせ画面に表示されている。搬送制御部５４は、その問い合わせ画面にて設定された内容に従って連続紙Ｐの搬送を制御する。上述した処理と同様に、「スプライス運用を行う」という設定内容が設定された場合、Ｓ０３以降の処理が行われ、「スプライス運用の実行の有無を自動的に判定する」という設定内容が設定された場合、Ｓ０４以降の処理が行われ、「スプライス運用を実行しない」という設定内容が設定された場合、Ｓ１３以降の処理が行われる。
【００８９】
また、搬送制御部５４は、上記の問い合わせ画面上にてユーザがスプライス運用に関する指示を与えるまでの間も、連続紙Ｐの搬送を禁止してもよい。つまり、搬送制御部５４は、連続紙Ｐの終端が検出された時点からユーザが指示を与えるまでの間、連続紙Ｐの搬送を禁止する。また、ユーザが「スプライス運用を行わない」という設定内容を設定した場合、搬送制御部５４は、ユーザの操作による連続紙Ｐの搬送禁止を解除する。
【００９０】
以下、図４から図６を参照して、連続紙Ｐの搬送制御について更に詳しく説明する。図４から図６は、印刷装置の構成の一例を示す。ここでは、箱用紙が用いられるものとする。また、説明の便宜上、終端が検出された連続紙Ｐを「連続紙Ｐ１」と称し、別の新たな連続紙Ｐを「連続紙Ｐ２」と称することとする。
【００９１】
図４には、連続紙Ｐ１の終端ＰＥが検出センサ３４によって検出されたときの状態が示されている。終端ＰＥが検出されることで、搬送制御部５４は、用紙ホッパ３０に連続紙Ｐ１が無いことを認識する。搬送制御部５４は、用紙ホッパ３０内の連続紙Ｐ１を検出する検出センサ３６の検出結果に基づいて、用紙ホッパ３０内の連続紙Ｐ１の有無を認識してもよい。「スプライス運用を行わない」という設定内容がユーザによって設定されている場合において、終端ＰＥが検出センサ３４によって検出された場合、印刷部４０は、転写中のページに対する転写を完了した後で印刷を停止する。この場合、搬送制御部５４は、ユーザの操作による連続紙Ｐの搬送を許可する。同様に、スプライス運用の実行の有無の自動判定が設定されている場合において、終端ＰＥが検出された時点で印刷ジョブが完了している場合、印刷部４０は、転写中のページに対する転写を完了した後で印刷を停止する。この場合も、搬送制御部５４は、ユーザの操作による連続紙Ｐの搬送を許可する。
【００９２】
ユーザによって「スプライス運用を行う」という設定内容が設定されている場合において、終端ＰＥが検出センサ３４によって検出された場合、図５に示すように、搬送制御部５４は、終端ＰＥがスプライス位置７４に配置されるまで、搬送部４２に連続紙Ｐ１を搬送させる。また、搬送制御部５４は、ユーザの操作による連続紙Ｐの搬送を禁止する。同様に、「スプライス運用の実行の有無を自動的に判定する」という設定内容が設定されている場合において、終端ＰＥが検出された時点で印刷ジョブが途中である場合、搬送制御部５４は、終端ＰＥがスプライス位置７４に配置されるまで、搬送部４２に連続紙Ｐ１を搬送させる。この場合も、搬送制御部５４は、ユーザの操作による連続紙Ｐの搬送を禁止する。スプライス位置７４は、ユーザによって連続紙Ｐ同士の繋ぎ合わせの作業が行われる位置である。例えば、スプライス位置７４は、検出センサ３４の設置位置よりも搬送方向下流側、かつ、転写装置２２の設置位置よりも搬送方向上流側の位置である。スプライス位置７４は、検出センサ３４の設置位置であってもよい。この場合、終端ＰＥが検出された後、搬送制御部５４は、連続紙Ｐ１を搬送させない。
【００９３】
次に、図６に示すように、箱用紙である別の連続紙Ｐ２が、ユーザによって用紙ホッパ３０に設置される。なお、連続紙Ｐ１と連続紙Ｐ２とを区別して示すために、連続紙Ｐ２は破線で表現されている。スプライス位置７４にて、連続紙Ｐ１の終端ＰＥと連続紙Ｐ２の先端とがスプライシングテープによって貼り合わされることで、連続紙Ｐ１と連続紙Ｐ２とが繋ぎ合わされる。この繋ぎ合わせの作業は、例えばユーザによって行われる。
【００９４】
連続紙Ｐ１と連続紙Ｐ２とが繋ぎ合わされた後、印刷が再開される。箱用紙が用いられているため、２ページが白紙印刷され、その後、印刷ジョブに従った印刷が連続紙Ｐ２に行われる。この印刷中も、搬送禁止が解除されない限り、搬送制御部５４は、ユーザの操作による連続紙Ｐの搬送を禁止する。
【００９５】
以下、図７から図１０を参照して、連続紙Ｐ１の終端ＰＥが検出された後の印刷装置１０の動作について詳しく説明する。図７から図１０には、連続紙が模式的に示されている。以下の説明では、ユーザによって「スプライス運用を行う」という設定内容が設定されている、又は、「スプライス運用の実行の有無を自動的に判定する」という設定内容が設定されている場合において、連続紙Ｐ１の終端ＰＥが検出されたときに印刷ジョブが途中であるものとする。
【００９６】
図７から図１０において、矢印７６が指し示す位置は、検出センサ３４によって連続紙Ｐの終端ＰＥが検出される位置であり、矢印７８が指し示す位置は、感光体ドラム１４と転写装置２２との間の転写位置である。また、連続紙Ｐ１，Ｐ２に形成されているミシン目等の折り目が、破線で表現されている。ある折り目とその隣の折り目との間の領域が１つページを構成する。
【００９７】
図７には、連続紙Ｐ１のＮページから（Ｎ＋８）ページが示されている。（Ｎ＋８）ページが連続紙Ｐ１の最終ページであり、（Ｎ＋８）ページの終端ＰＥが連続紙Ｐ１の終端ＰＥである。また、Ｎページから（Ｎ＋２）ページに対して、転写装置２２によって転写が既に行われている。
【００９８】
連続紙Ｐ１の終端ＰＥ、つまり、最終ページである（Ｎ＋８）ページの終端ＰＥが検出センサ３４によって検出された場合、図８に示すように、搬送制御部５４は、（Ｎ＋８）ページの終端ＰＥがスプライス位置７４に配置されるまで、搬送部４２に連続紙Ｐ１を搬送させる。その間、印刷部４０は印刷を継続する。図８に示す例では、終端ＰＥが検出された後、（Ｎ＋３）ページから（Ｎ＋５）ページに対して転写が行われている。また、終端ＰＥが検出された後、搬送制御部５４は、ユーザの操作による連続紙Ｐ１の搬送を禁止する。
【００９９】
次に、ユーザは、箱用紙である別の新たな連続紙Ｐ２を用紙ホッパ３０に設置し、図９に示すように、スプライス位置７４にて、連続紙Ｐ１の（Ｎ＋８）ページの終端ＰＥと連続紙Ｐ２の１ページの先端とをスプライシングテープ８０によって貼り合わせることで、連続紙Ｐ１と連続紙Ｐ２とを繋ぎ合わせる。
【０１００】
連続紙Ｐ１，Ｐ２は箱用紙であるため、スプライスページ数は２ページである。具体的には、連続紙Ｐ１の（Ｎ＋８）ページと連続紙Ｐ２の１ページにスプライシングテープ８０が貼られているため、これらのページがスプライスページであり、これらのページに白紙印刷が行われる。つまり、箱用紙が用いられる場合、スプライシングテープ８０が貼られた２ページに白紙印刷を行うことで、印刷ジョブに従った印刷がスプライスページに行われることが防止される。スプライスページに白紙印刷が行われ、スプライスページ以外のページに印刷ジョブに従った印刷が行われるように、繋ぎ合わされた連続紙Ｐ１，Ｐ２の搬送及び印刷が制御される。
【０１０１】
具体的には、主制御部５６は、スプライス位置７４と転写位置７８との間の距離、及び、１ページ分の搬送方向の幅に基づいて、スプライスページを特定する。図７から図１０に示す例では、スプライス位置７４と転写位置７８との間の距離は３ページ分の長さに相当するため、主制御部５６は、転写位置７８から数えて３ページ目及び４ページ目を、スプライスページであると認識する。３ページ目のページは連続紙Ｐ１の（Ｎ＋８）ページであり、４ページ目のページは連続紙Ｐ２の１ページである。
【０１０２】
図１０に示すように、印刷部４０は、転写位置７８から数えて１ページ目である連続紙Ｐ１の（Ｎ＋６）ページと、２ページ目である連続紙Ｐ１の（Ｎ＋７）ページに、印刷ジョブに従った印刷を行い、３ページ目である連続紙Ｐ１の（Ｎ＋８）ページと４ページ目である連続紙Ｐ２の１ページとに白紙印刷を行う。そして、印刷部４０は、連続紙Ｐ２の２ページ以降のページに、印刷ジョブに従った印刷を行う。
【０１０３】
スプライス運用が実行される場合、ユーザの操作による連続紙Ｐ１，Ｐ２の搬送が禁止されるので、スプライスページである、連続紙Ｐ１の（Ｎ＋８）ページと連続紙Ｐ２の１ページとに、ユーザの搬送操作に起因して、印刷ジョブに従った印刷が行われることが防止される。
【０１０４】
以下、図１１及び図１２を参照して、連続紙としてロール紙が用いられる場合について説明する。図１１及び図１２は、ロール紙が用いられる印刷装置１０Ａの構成を示す。印刷装置１０Ａは、ロール紙Ｐ３に印刷を行う印刷装置本体８２と、ロール紙Ｐ３を収容し、ロール紙Ｐ３を印刷装置本体８２に供給する給紙部８４と、印刷が完了したロール紙Ｐ３を収容する収容部８６とを含む。印刷装置本体８２の構成は、用紙ホッパ３０、用紙スタッカ３２及び検出センサ３４，３６を除いて、印刷装置１０の構成と同じである。ロール紙Ｐ３の終端を検出する検出センサは、例えば、給紙部８４に設置されている。スプライス位置８８は、給紙部８４内に定められている。印刷装置１０と同様に、印刷装置１０Ａは制御装置１２によって制御される。
【０１０５】
ロール紙Ｐ３が用いられる場合も、箱用紙が用いられる場合と同様に、スプライス運用の実行の有無に応じた搬送制御が行われる。
【０１０６】
ロール紙Ｐ３が用いられる場合、図１２に示されている破線の円９０で示すように、印刷装置本体８２の設置位置とスプライス位置８８との間においてロール紙Ｐ３が弛むことがある。それ故、スプライスページ数は、印刷装置本体８２の設置位置とスプライス位置８８との間の距離、及び、その間のロール紙Ｐ３の弛み量に基づいて定められる。例えば、ユーザが、ＵＩ部４４又はＵＩ部６０を用いて当該距離及び当該弛み量を示す情報を入力し、主制御部５６は、当該距離と当該撓み量とに基づいて、印刷装置本体８２の設置位置とスプライス位置８８との間におけるロール紙Ｐ３の長さを算出し、その長さに基づいて、スプライスページ数、及び、ロール紙Ｐ３におけるスプライスページの位置を算出する。このようにして定められたスプライスページに白紙印刷が行われ、それ以外のページに印刷ジョブに従った印刷が行われる。
【０１０７】
（変形例１）
以下、図１３を参照して、変形例１について説明する。図１３は、変形例１に係る印刷システムの構成の一例を示す。
【０１０８】
変形例１に係る印刷システムは、複数の印刷装置本体を含む。図１３に示す例では、印刷システムは、印刷装置本体８２Ａ，８２Ｂを含む。もちろん、印刷システムは、３台以上の印刷装置本体を含んでもよい。印刷装置本体８２Ａ，８２Ｂは、図１１及び図１２に示されている印刷装置本体８２と同じ構成を有する。また、一例として、ロール紙Ｐ３が用いられている。印刷システムは、更に、ロール紙Ｐ３を収容し、印刷装置本体８２Ａに供給する給紙部８４と、印刷が完了して印刷装置本体８２Ｂから排出されたロール紙Ｐ３を収容する収容部８６と、印刷装置本体８２Ａ，８２Ｂを制御する制御装置１２とを含む。また、印刷装置本体８２Ａから排出されたロール紙Ｐ３は、印刷装置本体８２Ｂに供給される。
【０１０９】
変形例１では、印刷装置本体８２Ａ，８２Ｂを用いて重連印刷が行われる。重連印刷とは、複数の印刷装置を用いて印刷することであり、例えば、各印刷装置が互いに異なる面を印刷することや、各印刷装置が互いに異なる色を用いて印刷することや、各印刷装置が互いに異なる種別のデータ（例えば画像データや文書データ等）に従って印刷することや、各印刷装置が部分的に印刷すること等である。重連印刷の一例として、連続紙の搬送方向上流側の印刷装置によって片面に印刷が行われ、搬送方向下流側の印刷装置によって他方の面に印刷が行われる。図１３に示す例では、搬送方向の上流側に印刷装置本体８２Ａが設置されており、下流側に印刷装置本体８２Ｂが設置されている。印刷装置本体８２Ａによってロール紙Ｐ３の片面に印刷が行われ、印刷装置本体８２Ｂによってロール紙Ｐ３の他方の面に印刷が行われる。
【０１１０】
変形例１においても、上述した実施形態と同様に、スプライス運用の実行の有無に応じた搬送制御が行われる。変形例１においては、印刷装置本体８２Ａにおいて、ユーザの操作によるロール紙Ｐ３の搬送が禁止されている場合、印刷装置本体８２Ｂにおいても、ユーザの操作によるロール紙Ｐ３の搬送が禁止される。例えば、ユーザの操作によるロール紙Ｐ３の搬送が禁止であることを示す情報が、印刷装置本体８２Ａ，８２Ｂによって共有される。具体的には、印刷装置本体８２Ａにおいて、ユーザの操作によるロール紙Ｐ３の搬送が禁止されている場合、その禁止を示す情報が、印刷装置本体８２Ａ又は制御装置１２から印刷装置本体８２Ｂに送信される。
【０１１１】
また、印刷装置本体８２Ａは、白紙印刷が行われたスプライスページに、当該スプライスページが白紙印刷されたページであることを示す白紙印刷ページ情報をマークとして印刷する。印刷装置本体８２Ｂは、当該マークを検出することで当該スプライスページを特定し、当該スプライスページに白紙印刷を行う。印刷装置本体８２Ａは、マークを印刷し、更に、スプライスページを識別するためのページＩＤを印刷装置本体８２Ｂに送信してもよい。印刷装置本体８２Ｂは、当該マークと当該ページＩＤとに基づいて当該スプライスページを特定し、当該スプライスページに白紙印刷を行う。
【０１１２】
（変形例２）
以下、変形例２について説明する。以下では、ユーザによって「スプライス運用を行う」という設定内容が設定されている、又は、「スプライス運用の実行の有無を自動的に判定する」という設定内容が設定されている場合において、連続紙Ｐ１の終端ＰＥが検出されたときに印刷ジョブが途中であるものとする。変形例２では、上記の条件に加えて、連続紙Ｐとして箱用紙が用いられている場合、搬送制御部５４は、連続紙Ｐの終端が検出されたときのユーザの操作による連続紙Ｐの搬送を禁止する。一方で、上記の条件の下であっても、連続紙Ｐとしてロール紙が用いられている場合、搬送制御部５４は、連続紙Ｐの終端が検出されたときのユーザの操作による連続紙Ｐの搬送を禁止しない。
【０１１３】
箱用紙を構成する各ページは、ミシン目等の折り目によって区分けされている。そのため、スプライス運用の実行時にユーザの操作によって箱用紙が搬送された場合、搬送された箱用紙の位置によっては、印刷ジョブに従った印刷が折り目に跨って行われることがある。連続紙Ｐが箱用紙である場合に、ユーザの操作による連続紙Ｐの搬送を禁止することで、印刷ジョブに従った印刷が折り目に跨って行われることが防止される。
【０１１４】
一方、ロール紙には折り目が形成されていないため、箱用紙に発生し得る、印刷が折り目に跨って行われるという問題は発生しない。
【０１１５】
このように、箱用紙はロール紙よりも、スプライス運用の実行時により動いてほしくない用紙であるといえる。従って、箱用紙が用いられる場合にユーザの操作による連続紙Ｐの搬送を禁止することで、より動いてほしくない連続紙Ｐが用いられる場合に、ユーザの操作による連続紙Ｐの搬送を禁止することができる。
【０１１６】
（変形例３）
以下、変形例３について説明する。変形例３では、搬送制御部５４は、ユーザに応じて、連続紙Ｐの終端が検出されたときのユーザの操作による連続紙Ｐの搬送を禁止又は許可する。
【０１１７】
例えば、ユーザ毎に、ユーザを識別するためのユーザ識別情報と、連続紙Ｐの終端が検出されたときに搬送を禁止するか否かを示す情報とが互いに対応付けられて、記憶部４６に予め記憶されている。ユーザ識別情報は、例えば、ユーザの氏名を示す情報やユーザＩＤ等を含む。ユーザ識別情報は、更に、印刷装置１０に関する作業や操作についてのユーザの熟練度を示す情報や、ユーザの役職を示す情報や、ユーザの勤務履歴を示す情報等を含んでもよい。例えば、ユーザがＵＩ部４４又はＵＩ部６０を操作してユーザ識別情報を印刷装置１０に入力してもよいし、社員証等のＩＣカードを用いてユーザ識別情報を印刷装置１０に入力してもよい。搬送制御部５４は、入力されたユーザ識別情報に基づいて、印刷装置１０を利用するユーザを識別する。また、各ユーザが印刷装置１０を利用する時間帯を定めたシフト表が用いられてもよい。この場合、搬送制御部５４は、当該シフト表のデータを、当該シフト表を管理する管理装置から取得し、当該シフト表に基づいて、現時点で印刷装置１０を利用するユーザを識別する。
【０１１８】
上記の対応付けにおいて、識別されたユーザに搬送禁止を示す情報が対応付けられている場合、搬送制御部５４は、連続紙Ｐの終端が検出されたときのユーザの操作による連続紙Ｐの搬送を禁止する。識別されたユーザに搬送禁止を示す情報が対応付けられていない場合、搬送制御部５４は、連続紙Ｐの終端が検出されたときのユーザの操作による連続紙Ｐの搬送を許可する。こうすることで、個々のユーザに応じた搬送制御を行うことができる。
【０１１９】
例えば、印刷装置１０を利用するユーザが熟練者であれば、連続紙Ｐの終端が検出されたときにユーザの操作による連続紙Ｐの搬送を許可しても、ユーザの操作による搬送に起因して、印刷ジョブに従った印刷がスプライスページに行われる可能性は低いと想定される。また、熟練者は、スプライス運用においてスプライス位置等を微調整したいこともある。従って、ユーザが熟練者であれば、スプライス運用を実際に行うか否かに関わらず、搬送制御部５４は、連続紙Ｐの終端が検出されたときのユーザの操作による連続紙Ｐの搬送を許可する。
【０１２０】
一方で、印刷装置１０を利用するユーザが熟練者ではない場合、連続紙Ｐの終端が検出されたときにユーザの操作による連続紙Ｐの搬送を許可した場合、ユーザの操作による搬送に起因して、印刷ジョブに従った印刷がスプライスページに行われることが想定される。これに対処するために、ユーザが熟練者ではない場合、スプライス運用を実際に行うか否かに関わらず、搬送制御部５４は、連続紙Ｐの終端が検出されたときのユーザの操作による連続紙Ｐの搬送を禁止する。
【０１２１】
例えば、熟練度が閾値以上であるユーザは熟練者であり、熟練度が閾値未満であるユーザは熟練者ではない。熟練度を示す情報はユーザ識別情報に含まれている。搬送制御部５４は、印刷装置１０を利用するユーザの熟練度が閾値以上である場合、連続紙Ｐの終端が検出されたときのユーザの操作による連続紙Ｐの搬送を許可し、ユーザの熟練度が閾値未満である場合、連続紙Ｐの終端が検出されたときのユーザの操作による連続紙Ｐの搬送を禁止する。こうすることで、ユーザの熟練度に応じた搬送制御を行うことができる。
【０１２２】
また、ユーザの操作による連続紙Ｐの搬送が禁止されている場合に、搬送制御部５４は、ユーザに応じて、当該禁止の解除を許可又は禁止してもよい。搬送制御部５４は、例えば、熟練者が搬送禁止の解除を指示した場合、搬送禁止を解除し、熟練者ではないユーザは搬送禁止の解除を指示した場合、搬送禁止を解除せずに継続する。こうすることで、熟練者ではないユーザによる搬送禁止の解除が防止される。
【０１２３】
主制御部５６は、連続紙Ｐの搬送についてユーザの操作を学習してもよい。搬送制御部５４は、その学習結果に基づいて、連続紙Ｐの終端が検出されたときのユーザの操作による連続紙Ｐの搬送を禁止又は許可してもよい。搬送制御部５４は、例えば、スプライス運用を行う頻度に応じて、連続紙Ｐの終端が検出されたときのユーザの操作による連続紙Ｐの搬送を禁止又は許可してもよい。また、搬送制御部５４は、各ユーザによるスプライス運用の実行履歴に基づいて、連続紙Ｐの終端が検出されたときの各ユーザの操作による連続紙Ｐの搬送を禁止又は許可してもよい。
【０１２４】
印刷装置１０を利用するユーザが別のユーザに交代した場合、主制御部５６は、スプライス運用を実行するか否かをユーザに問い合わせるための画面をＵＩ部４４又はＵＩ部６０に表示させてもよい。主制御部５６は、例えば、印刷装置１０に入力されたユーザ識別情報に基づいてユーザの交代を認識する。
【０１２５】
例えば、印刷開始時に熟練者ではないユーザが「スプライス運用を行う」という設定内容を設定し、印刷の途中や連続紙Ｐの終端の検出時等に、ユーザが熟練者に交代することが考えられる。熟練者は、連続紙Ｐの終端が検出された場合であっても、ユーザの操作によって連続紙Ｐを搬送したい場合がある。これに対処するために、熟練者は、問い合わせ画面にて、設定内容を「スプライス運用を行う」という設定内容から「スプライス運用を行わない」という設定内容に変更することで、当該熟練者の操作によって連続紙Ｐを搬送することができる。
【０１２６】
また、印刷開始時に熟練者が印刷装置１０を利用し、印刷の途中や連続紙Ｐの終端の検出時等に、ユーザが熟練者ではないユーザに交代することが考えられる。熟練者によって、「スプライス運用を実行しない」という設定内容が設定されている可能性があるため、そのままの設定では、熟練者ではないユーザの操作によって連続紙Ｐが搬送されて、印刷ジョブに従った印刷がスプライスページに行われる可能性がある。これを回避するために、熟練者ではないユーザが、問い合わせ画面にて、「スプライス運用を行う」という設定内容を設定することで、ユーザの操作による連続紙Ｐの搬送が禁止されて、スプライスページへの印刷ジョブに従った印刷が防止される。
【０１２７】
上記の印刷装置１０及び制御装置１２のそれぞれの各部の機能は、一例としてハードウェアとソフトウェアとの協働により実現される。具体的には、印刷装置１０及び制御装置１２は、図示しないＣＰＵ等の１又は複数のプロセッサを備えている。当該１又は複数のプロセッサが、図示しない記憶装置に記憶されたプログラムを読み出して実行することで、印刷装置１０及び制御装置１２のそれぞれの各部の機能が実現される。上記プログラムは、ＣＤ又はＤＶＤ等の記録媒体を経由して、又は、ネットワーク等の通信経路を経由して、記憶装置に記憶される。別の例として、印刷装置１０及び制御装置１２のそれぞれの各部の機能は、例えばプロセッサ、電子回路又はＡＳＩＣ（Application Specific Integrated Circuit）等のハードウェア資源により実現されてもよい。その実現においてメモリ等のデバイスが利用されてもよい。更に別の例として、印刷装置１０及び制御装置１２のそれぞれの各部の機能は、ＤＳＰ（Digital Signal Processor）又はＦＰＧＡ（Field Programmable Gate Array）等によって実現されてもよい。
【符号の説明】
【０１２８】
１０  印刷装置、１２  制御装置、３４  検出センサ、５４  搬送制御部。
【図１】
2020117344.tif 000003
【図２】
2020117344.tif 000004
【図３】
2020117344.tif 000005
【図４】
2020117344.tif 000006
【図５】
2020117344.tif 000007
【図６】
2020117344.tif 000008
【図７】
2020117344.tif 000009
【図８】
2020117344.tif 000010
【図９】
2020117344.tif 000011
【図１０】
2020117344.tif 000012
【図１１】
2020117344.tif 000013
【図１２】
2020117344.tif 000014
【図１３】
2020117344.tif 000015